(57)【要約】      （修正有）【課題】容器本体を紙材質により実現することにより、環境にさらにやさしく、識別部に表示されたカラーを用いて内部に収容された製品を直観的に区別することのできる化粧品容器を提供する。【解決手段】化粧品容器１０００は、紙製の容器本体１００と、前記容器本体の内側に嵌まり込み、中身が貯えられる内容器２００と、前記内容器の上部に結合されて、前記内容器を密閉するオーバーキャップ３００と、を備え、前記内容器の嵌まり込みに際して、前記内容器の外周面が前記容器本体の内周面に密着されることにより、前記内容器が前記容器本体の内側に結合されることが可能である。【選択図】図２
2020182825.tif 000002
【特許請求の範囲】
【請求項１】
化粧品容器であって、
紙製の容器本体と、
前記容器本体の内側に嵌まり込み、中身が貯えられる内容器と、
前記内容器の上部に結合されて、前記内容器を密閉するオーバーキャップと、
を備え、
前記内容器の嵌まり込みに際して、前記内容器の外周面が前記容器本体の内周面に密着されることにより、前記内容器が前記容器本体の内側に結合される、化粧品容器。
【請求項２】
前記内容器の上部には、前記容器本体及び前記オーバーキャップ間の結合に際して、外部に露出されて中身が識別可能なカラーを表示する識別部が形成される、請求項１に記載の化粧品容器。
【請求項３】
前記内容器の外周面に沿って複数の結合突起が外側に突設されて、
前記内容器の嵌まり込みに際して、前記複数の結合突起が前記容器本体の内周面に密着されることにより、前記内容器が前記容器本体の内側に結合される、請求項１に記載の化粧品容器。
【請求項４】
前記結合突起は、
前記内容器の上下方向に延設され、前記容器本体の内周面に密着されて前記容器本体の内周面を加圧する加圧部と、
前記加圧部の下端部に連設されるが、下側に向かって進むにつれて突出高さが低くなるように少なくとも一部が傾斜面として形成されるガイド傾斜部と、
を備える、請求項３に記載の化粧品容器。
【請求項５】
前記加圧部は、前記内容器の外周面から突出方向に向かうに従って幅が狭くなる、請求項４に記載の化粧品容器。
【請求項６】
前記内容器の上部の外周面に沿って載置部が外側に突き出て、前記内容器の結合に際して、前記載置部が前記容器本体の上縁面に載置されることにより、前記容器本体の上縁面を覆う、請求項３に記載の化粧品容器。
【請求項７】
前記容器本体には、前記容器本体の下縁が内側に湾曲することにより、支持部が形成される、請求項１に記載の化粧品容器、
【発明の詳細な説明】
【技術分野】
【０００１】
本発明は、化粧品容器に係り、さらに詳しくは、環境にやさしく、且つ、内部に収容された製品を直観的に区別することのできる化粧品容器に関する
【背景技術】
【０００２】
一般に、化粧品は、性質、状態、機能または用途に応じて、これに適した様々な容器に収容されて販売されるが、通常、使用者が容器に貯えられた化粧品を使用するときには、オーバーキャップを開放して容器本体に貯えられた中身を手またはパフなどで付けて塗ったり、ポンピング手段を用いたポンピング作用により中身を吐出して使用したりするなどの方式が用いられる。
【０００３】
ところが、従来の化粧品容器は、構成要素の全てが環境にやさしくない合成樹脂材から作製されるが故に、資源の無駄使いを招き、高温成形などのために、複雑且つ高価な製造装置を必要とするが故に、製造コストを下げるのに限界を有するという問題を抱えていた。
【０００４】
一方、化粧品は、普通、化粧水／乳液などのスキンケア化粧品と、エッセンスなどの機能性化粧品及びファンデーションなどのメイクアップ化粧品に分けられるが、使用者が化粧品を使用するときには、容器本体に書かれている文字を見て、スキンケア化粧品であるか、機能性化粧品であるか、メイクアップ化粧品であるかを確認することを余儀なくされるため、使用者の煩雑さを来たしてしまうという問題があった。なお、近年、化粧品の製品群が多様化することに伴い、男性製品群、環境にやさしい製品群など種々のライン別の製品が上市されている中で、使用者をして直観的に製品を手軽に区別せしめる手段が求められている。
【発明の概要】
【発明が解決しようとする課題】
【０００５】
本発明は、前記問題を解決するためのものであり、容器本体を紙材質により実現することにより、環境にさらにやさしく、識別部に表示されたカラーを用いて内部に収容された製品を直観的に区別することのできる化粧品容器を提供することをその目的とする。
【０００６】
本発明の技術的課題は、上述した技術的課題に何ら制限されるものではなく、未言及の他の技術的課題は、次の記載から当業者にとって明らかに理解できる筈である。
【課題を解決するための手段】
【０００７】
本発明の一実施形態により、化粧品容器が提供される。前記化粧品容器は、紙製の容器本体と、前記容器本体の内側に嵌まり込み、中身が貯えられる内容器と、前記内容器の上部に結合されて、前記内容器を密閉するオーバーキャップと、を備え、前記内容器の嵌まり込みに際して、前記内容器の外周面が前記容器本体の内周面に密着されることにより、前記内容器が前記容器本体の内側に結合されてもよい。
【０００８】
好ましくは、前記内容器の上部には、前記容器本体及び前記オーバーキャップ間の結合に際して、外部に露出されて中身が識別可能なカラーを表示する識別部が形成されてもよい。
【０００９】
また、好ましくは、前記内容器の外周面に沿って複数の結合突起が外側に突設されて、
前記内容器の嵌まり込みに際して、前記複数の結合突起が前記容器本体の内周面に密着されることにより、前記内容器が前記容器本体の内側に結合されてもよい。
【００１０】
さらに、好ましくは、前記結合突起は、前記内容器の上下方向に延設され、前記容器本体の内周面に密着されて前記容器本体の内周面を加圧する加圧部と、前記加圧部の下端部に連設されるが、下側に向かって進むにつれて突出高さが低くなるように少なくとも一部が傾斜面として形成されるガイド傾斜部と、を備えていてもよい。
【００１１】
さらにまた、好ましくは、前記加圧部は、前記内容器の外周面から突出方向に向かうに従って幅が狭くなってもよい。
【００１２】
さらにまた、好ましくは、前記内容器の上部の外周面に沿って載置部が外側に突き出て、前記内容器の結合に際して、前記載置部が前記容器本体の上縁面に載置されることにより、前記容器本体の上縁面を覆ってもよい。
【００１３】
さらにまた、好ましくは、前記容器本体には、前記容器本体の下縁が内側に湾曲することにより、支持部が形成されてもよい。
【発明の効果】
【００１４】
本発明によれば、容器本体を紙素材により実現することにより、化粧品に対する環境にやさしいという印象を与えながら、より経済性に富んだ製造が可能である。なお、外周面に文字、図形、記号を表示したり、様々なカラーの表現のための後加工処理を施したりすることが手軽に行えて、不良率を下げることができる。
【００１５】
また、本発明によれば、廃棄に際してごみを分別収集することで紙製の容器本体をリサイクルすることが可能になって、環境汚染を軽減することができる。
【００１６】
さらに、本発明によれば、内容器が容器本体に嵌まり込むことにより、内容器の外周面に形成される複数の結合突起が容器本体の内周面を加圧するという方式で内容器と容器本体との結合をさらに手軽に行うことができ、紙製の容器本体の形状を強固に保持することができる。
【００１７】
さらにまた、本発明によれば、内容器の結合に際して、載置部により容器本体の上縁面が外部に露出されなくなることから、容器本体の破損を防止することができる。
【００１８】
これらに加えて、本発明によれば、使用者が識別部のカラーを見て直観的に製品の区別がつくことから、化粧品を保管する際に、製品別に分類して保管しやすいだけではなく、使い勝手のよさを与えることができるというメリットがある。
【図面の簡単な説明】
【００１９】
本発明の詳細な説明の欄において引用される図面をより十分に理解するために、各図面についての簡単な説明が提供される。
【図１】本発明の一実施形態に係る化粧品容器の斜視図である。
【図２】本発明の一実施形態に係る化粧品容器の分解斜視図である。
【図３】本発明の一実施形態に係る化粧品容器の断面図である。
【図４】図２の’Ａ’部に対する拡大図である。
【図５】本発明の一実施形態に係る化粧品容器の斜視図である。
【発明を実施するための形態】
【００２０】
以下、添付図面に基づき、本発明に係る実施形態について説明する。各図面の構成要素に参照符号を付するに当たって、同じ構成要素に対しては、たとえ異なる図面の上に示されているとしても、できる限り同じ符号を有するようにしていることに留意すべきである。また、本発明の実施形態について説明するに当たって、関連する公知の構成又は機能についての具体的な説明が本発明の実施形態への理解を妨げると認められる場合には、その詳細な説明は省略する。さらに、以下において、本発明の実施形態について説明するが、本発明の技術的思想はこれに何等限定又は制限されるものではなく、当業者によって変形されて種々に実施され得る。一方、以下に記載される便宜上の上下左右の方向は、図面を基準としたものであり、当該方向に本発明の権利範囲が必ずしも限定されることはない。
【００２１】
明細書の全般に亘って、ある部分が他の部分と「接続」されているとしたとき、これは、「直接的に接続」されている場合だけではなく、これらの間に他の素子を挟んで「間接的に接続」されている場合も含む。明細書の全般に亘って、ある部分がある構成要素を「備える」としたとき、これは、特に断りのない限り、他の構成要素を除外するものではなく、他の構成要素をさらに備えていてもよいということを意味する。なお、本発明の実施形態の構成要素について説明するに当たって、第１、第２、Ａ、Ｂ、ａ、ｂなどの用語を使用することができる。これらの用語は、その構成要素を他の構成要素と区別するためのものに過ぎず、これらの用語によって当該構成要素の本質や順序又は順番などが限定されることはない。
【００２２】
図１は、本発明の一実施形態に係る化粧品容器の斜視図であり、図２は、本発明の一実施形態に係る化粧品容器の分解斜視図であり、図３は、本発明の一実施形態に係る化粧品容器の断面図であり、図４は、図２の’Ａ’部に対する拡大図である。
【００２３】
図１から図４を参照すると、化粧品容器１０００は、容器本体１００、内容器２００及びオーバーキャップ３００を備えていてもよい。
【００２４】
容器本体１００は、上部が開放され、内側に内容器２００を収容することができる。例えば、容器本体１００は、内部に収容空間が形成される円筒状を呈するように実現されてもよい。
【００２５】
一実施形態において、容器本体１００は、紙製であってもよい。このように、容器本体１００を紙材質から形成することにより、環境にやさしいという印象を与えながら、より経済性に富んだ製造が可能であり、外周面に文字、図形、記号を表示したり、様々なカラーの表現のための後加工処理を施したりすることが手軽に行えて、不良率を下げることが可能になる。なお、廃棄に際してごみを分別収集することで紙製の容器本体をリサイクルすることが可能になって、環境破壊を低減させることができるというメリットも得られる。
【００２６】
一実施形態において、容器本体１００の下部には、紙製の下縁が内側に湾曲することにより、支持部１１０が形成されてもよい。これにより、支持部１１０が二重に形成されて、耐久性がさらに高くなる。また、容器本体１００を紙材質から形成する場合、容器本体１００の側壁と下面が別々に作製されて貼り合わせられなければならないが、内側に湾曲した縁の端部により下面の接着がなお一層手軽に行われ、下面の接着部位が外部に露出されなくなることから、容器本体１００の破損のリスクを軽減させることが可能になる。
【００２７】
内容器２００は、容器本体１００に収容され、内部に中身を貯えるための収容部２１０が形成されてもよい。ここで、中身は、化粧のための流体（すなわち、化粧料）または粉末であってもよい。例えば、中身は、液状またはゲル（ｇｅｌ）状のスキンケアまたはメイクアップのための化粧料を含んでいてもよいが、本発明はこれに何ら制限されるものではなく、あらゆる流体状または粉末状の化粧用の物質を含んでいてもよい。
【００２８】
内容器２００の上部には、収容部２１０に貯えられた中身を外部に排出するための開口部２２０が形成されてもよい。開口部２２０の外周面には、オーバーキャップ３００との結合のためにねじ山が形成されてもよい。
【００２９】
内容器２００は、容器本体１００に嵌まり込むことにより、外周面が容器本体１００の内周面に密着され、その結果、容器本体１００の内側に結合可能である。例えば、内容器２００には、側壁部２３０が上面の周縁から所定の長さだけ下向きに延びて形成されてもよく、側壁部２３０の外周面に沿って複数の結合突起２３１が外側に突設されてもよい。内容器２００が容器本体１００に嵌まり込むと、側壁部２３０に形成される結合突起２３１が容器本体１００の内周面に密着されて容器本体１００の内周面を加圧し、その結果、内容器２００が容器本体１００の内側に嵌合できる。
【００３０】
一実施形態において、結合突起２３１は、容器本体１００の外周面を均一に加圧するために、側壁部２３０の外周面に沿って等間隔にて配置されてもよい。すなわち、結合突起２３１は、３〜１５０個が形成されてもよく、これらの結合突起２３１が側壁部２３０の外周面の上に等間隔にて配置されるように実現されてもよい。例えば、結合突起２３１が３個形成される場合、結合突起２３１は、内容器２００の中心を基準として１２０°おきに側壁部２３０の外周面の上に配置されてもよい。
【００３１】
また、一実施形態において、結合突起２３１は、少なくとも一部が弾性または軟性素材から形成されてもよい。
【００３２】
結合突起２３１は、加圧部２３１−１及びガイド傾斜部２３１−２を備えていてもよい。
【００３３】
加圧部２３１−１は、内容器２００の上下方向に所定の長さを有するように延設され、内容器２００の嵌まり込みに際して、容器本体１００の内周面を加圧することができる。一実施形態において、加圧部２３１−１は、側壁部２３０の外周面から突出方向に向かうに従って幅が狭くなるように形成されてもよい。例えば、加圧部２３１−１は、容器本体１００の内周面に接する一方の側が尖った形状に形成されることにより、内容器２００の容器本体１００への嵌まり込みがなお一層容易になるように実現されてもよい。
【００３４】
ガイド傾斜部２３１−２は、加圧部２３１−１の下端部に連設され、下側に向かって進むにつれて突出高さが低くなるように少なくとも一部が傾斜面として形成されてもよい。このように、傾斜面として形成されたガイド傾斜部２３１−２が加圧部２３１−１の下側に形成されることにより、化粧品容器１０００の製造過程において内容器２００をさらに手軽に容器本体１００と結合することが可能になる。
【００３５】
内容器２００の上縁には、内容器２００の結合に際して、容器本体１００の上縁面に載置される載置部２４０が形成されてもよい。例えば、載置部２４０は、内容器２００の上部の外周面に沿って外側方向に突設するが、結合突起２３１よりも突出高さが高くなるように形成されてもよい。なお、一実施形態において、載置部２４０は、内容器２００と容器本体１００との結合に際して、容器本体１００の上縁面を完全に覆うように形成されてもよい。これにより、化粧品容器１０００の使用及び保管に際して、容器本体１００の上縁面が外部に露出されなくなることから、容器本体１００の破損のリスクを軽減することができる。
【００３６】
オーバーキャップ３００は、内容器２００の上部に着脱自在に結合されて、開口部２２０を開閉するものであり、内容器２００への異物または空気の流入を遮断して中身の変質を防止することができる。例えば、オーバーキャップ３００の内周面に開口部２２０の外周面に形成されるねじ山に対応するねじ山が形成されて、螺合によりオーバーキャップ３００が内容器２００に結合されたり、これから取り外されたりするように実現されてもよい。
【００３７】
一方、これまで言及されてきた構成要素間の結合方式は、単なる例示的なものに過ぎず、本発明が適用される実施形態に応じて種々の構成要素が適用可能である。例えば、突起と溝との嵌合に際して、突起と溝の形成位置や形状などが変更されてもよく、且つ、嵌合ではなく、螺合などが適用されてもよい。
【００３８】
図５は、本発明の一実施形態に係る化粧品容器の斜視図である。
【００３９】
図５を参照すると、化粧品容器２０００は、内容器２００の上部には識別部２５０がさらに形成されてもよい。
【００４０】
このような識別部２５０は、内容器２００が容器本体１００及びオーバーキャップ３００と結合された状態で、外部に（すなわち、使用者に）露出されて内容器２００に貯えられた中身を識別可能にする。例えば、識別部２５０は、同図に示すように、オーバーキャップ３００が結合される開口部２２０を囲繞するように環状に形成されてもよく、内容器２００に貯えられた中身の種類に対応してそれぞれ異なるカラーを有するように実現されてもよい。
【００４１】
これにより、識別部２５０に表示される様々なカラーを見て使用者が直観的に中身を区別することが可能になるので、化粧品を保管する際に、製品別に分類して保管することが容易であるだけではなく、使い勝手のよさを与えることが可能になる。
【００４２】
一実施形態において、識別部２５０は、内容器２００の全体を中身に対応するカラーで形成し、容器本体１００及びオーバーキャップ３００間の結合に際して、外部に露出される内容器２００の一部分を介してカラーが外部に表示されるようにする方式により形成されてもよい。但し、これは、単なる例示的なものに過ぎず、本発明はこれに何ら限定されるものではなく、本発明が適用される実施形態に応じて、識別部２５０は、外部に露出される内容器２００の一部分に中身に対応するカラーを自ら印刷する方式により形成されるなど種々の方式により形成可能である。
【００４３】
以上のように、図面及び明細書に最適な実施形態が開示された。ここで、特定の用語が使用されたが、これは単に本発明を説明するための目的で使用されたものに過ぎず、意味を限定したり、特許請求の範囲に記載の本発明の範囲を制限したりするために使用されたものではない。よって、本技術分野において通常の知識を有する者であれば、これから種々の変形及び均等な他の実施形態が可能であるということが理解できる筈である。よって、本発明の真の技術的な保護範囲は、添付の特許請求の範囲の技術的な思想によって定められるべきである。
【符号の説明】
【００４４】
１００  容器本体
１１０  支持部
２００  内容器
２１０  収容部
２２０  開口部
２３０  側壁部
２３１  結合突起 
２３１−１  加圧部
２３１−２  ガイド傾斜部
２４０  載置部
２５０  識別部
３００  オーバーキャップ
１０００、２０００  化粧品容器
【図１】
2020182825.tif 000003
【図２】
2020182825.tif 000004
【図３】
2020182825.tif 000005
【図４】
2020182825.tif 000006
【図５】
2020182825.tif 000007
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
化粧品容器であって、
紙製の容器本体と、
前記容器本体の内側に嵌まり込み、中身が貯えられる内容器と、
前記内容器の上部に結合されて、前記内容器を密閉するオーバーキャップと、を備え、
前記内容器の外周面に沿って複数の結合突起が外側に突設されて、前記内容器の嵌まり込みに際して、前記複数の結合突起が前記容器本体の内周面に密着されることにより、前記内容器が前記容器本体の内側に結合され、
前記結合突起は、
前記内容器の上下方向に延設され、前記容器本体の内周面に密着されて前記容器本体の内周面を加圧する加圧部と、
前記加圧部の下端部に連設され、下側に向かって進むにつれて突出高さが低くなるように少なくとも一部が傾斜面として形成されるガイド傾斜部と、を備え、
前記加圧部は、前記内容器の外周面から突出方向に向かうに従って幅が狭くなって、前記容器本体の内周面に接する一方の側が尖った形状に形成される、化粧品容器。
【請求項２】
前記内容器の上部には、前記容器本体及び前記オーバーキャップ間の結合に際して、外部に露出されて中身が識別可能なカラーを表示する識別部が形成される、請求項１に記載の化粧品容器。
【請求項３】
前記内容器の上部の外周面に沿って載置部が外側に突き出て、前記内容器の結合に際して、前記載置部が前記容器本体の上縁面に載置されることにより、前記容器本体の上縁面を覆う、請求項１に記載の化粧品容器。
【請求項４】
前記容器本体には、前記容器本体の下縁が内側に湾曲することにより、支持部が形成される、請求項１に記載の化粧品容器。